(57)【要約】【課題】簡単な構造で、簡単に畳み込むことができ、しかも料理を乗せたトレーの出し入れが容易な、ワゴンを提供すること。【解決手段】使用状態で、左右の側柱２ａ，２ａと、両側柱の上端に差し渡された把手２ｂとによってメインフレーム２を構成し、前記メインフレームを下方が斜め前方に位置するように傾斜させて配置するとともに、前記両側柱の上端部に、後方へ張り出して後部支持フレーム４をそれぞれ延設し、前記メインフレームおよび前記後部支持フレームの下端部にキャスター１２ａ，１２ｂを設置し、前記両側柱の上下複数個所で、棚プレート８を装架するとともに、該棚プレートの前端を前記メインフレームの両側柱よりも前方に延伸させたことを特徴とする。【選択図】図１
0003186800.tif 000002
【実用新案登録請求の範囲】
【請求項１】
使用状態で、左右の側柱と、両側柱の上端に差し渡された把手とによってメインフレームを構成し、前記メインフレームを下方が斜め前方に位置するように傾斜させて配置するとともに、前記両側柱の上端部に、後方へ張り出して後部支持フレームをそれぞれ延設し、前記メインフレームおよび前記後部支持フレームの下端部にキャスターをそれぞれ設置し、前記両側柱の上下複数個所で、棚プレートを装架するとともに、該棚プレートの前端を前記メインフレームの両側柱よりも前方に延伸させたことを特徴とする、ワゴン。
【請求項２】
上記複数の棚プレートの大きさを同じくし、それらの棚プレートの同一位置で上記メインフレームに支持させたことを特徴とする、請求項１に記載のワゴン。
【請求項３】
上記後部支持フレームを上記メインフレームに回動自在に支持させ、上記複数の棚プレートをメインフレームに回動自在に支持させるとともに、それらの棚プレートをリンク竿によって互いに連結させたことを特徴とする、請求項１または２に記載のワゴン。
【請求項４】
上記メインフレームと上記棚プレートと上記リンク竿によって、平行リンクを構成したことを特徴とする、請求項３に記載のワゴン。
【請求項５】
上記メインフレームに設置されるキャスターの取り付け位置と上記後部支持フレームに設置させるキャスターの取り付け位置を、使用状態における正面視で互いに左右方向にオフセットさせたことを特徴とする、請求項３または４に記載のワゴン。
【考案の詳細な説明】
【技術分野】
【０００１】
本考案は、ワゴンに関するもので、特には、フードコート等で、その使用に適したワゴンに関するものである。
【背景技術】
【０００２】
フードコートでは、共用の多数のテーブルが配置された座席スペースを囲んで調理設備を備えた店舗が囲むようにして複数配置され、客は希望するメニューを選択した店舗で注文し、その料理が出来上がるとそれを受け取り、トレー等に載せてテーブルに運んで飲食をする。
【０００３】
このような場合、料理をテーブルまで運ぶ際に、トレー上の料理は不安定になり料理を溢す虞がある。また、料理が多い場合には、一度に運びきれず、店舗とテーブル間を何度も往復しなければならないことが生じる。
【０００４】
ところで、ワゴン（台車）を使用することによって、トレーを運べば、多量の料理を安定して運搬することができる。しかし、通常のワゴンは、棚プレートを支持する柱が存在するため、特に下段の棚プレートに載置したトレーは、柱が邪魔をして取り出し難いばかりか、トレー上の料理等を溢してしまうこともある。また、通常のワゴンは、嵩張るため、特にフードコート等の多数のワゴンを使用するところでは、ワゴンを保管するための広いスペースが必要となる。
【考案の概要】
【考案が解決しようとする課題】
【０００５】
本考案は、上述した背景技術が有する課題に鑑みなされたものであって、簡単な構造で、簡単に畳み込むことができ、しかも料理を乗せたトレーの出し入れが容易な、ワゴンを提供することを目的とする。
【課題を解決するための手段】
【０００６】
上記した目的を達成するため、請求項１のワゴンは、使用状態で、左右の側柱と、両側柱の上端に差し渡された把手とによってメインフレームを構成し、前記メインフレームを下方が斜め前方に位置するように傾斜させて配置するとともに、前記両側柱の上端部に、後方へ張り出して後部支持フレームをそれぞれ延設し、前記メインフレームおよび前記後部支持フレームの下端部にキャスターをそれぞれ設置し、前記両側柱の上下複数個所で、棚プレートを装架するとともに、該棚プレートの前端を前記メインフレームの両側柱よりも前方に延伸させたことを特徴とする。
【０００７】
また、請求項２のワゴンは、上記請求項１に記載のワゴンにおいて、上記複数の棚プレートの大きさを同じくし、それらの棚プレートの同一位置で上記メインフレームに支持させたことを特徴とする。
【０００８】
更に、請求項３のワゴンは、上記請求項１または２に記載のワゴンにおいて、上記後部支持フレームを上記メインフレームに回動自在に支持させ、上記複数の棚プレートをメインフレームに回動自在に支持させるとともに、それらの棚プレートをリンク竿によって互いに連結させたことを特徴とする。
【０００９】
更に、請求項４のワゴンは、上記請求項３に記載のワゴンにおいて、上記メインフレームと上記棚プレートと上記リンク竿によって、平行リンクを構成したことを特徴とする。
【００１０】
更に、請求項５のワゴンは、上記請求項３または４に記載のワゴンにおいて、上記メインフレームに設置されるキャスターの取り付け位置と、上記後部支持フレームに設置させるキャスターの取り付け位置を、使用状態における正面視で互いに左右方向にオフセットさせたことを特徴とする。
【考案の効果】
【００１１】
上記した請求項１の本考案に係るワゴンによれば、棚プレートが支柱から外方へ延設されているので、棚プレートに載置させたトレーを滑らすようにて端部まで案内できる。したがって、トレーを棚プレートから料理等を溢すことなく容易に取り出すことができる。
【００１２】
また、上記した請求項２の本考案に係るワゴンによれば、上記した効果に加え、下段に位置する棚プレートの前端部はその上に位置する棚プレートの前端部よりも前方に位置するので、下段の棚プレートに載置されたトレー等を取り出すことが更に容易になる。
【００１３】
また、上記した請求項３の本考案に係るワゴンによれば、上記した効果に加え、畳み込めるので、保管に際してコンパクトになり、保管スペースを少なくすることができる。
【００１４】
また、上記した請求項４の本考案に係るワゴンによれば、上記した効果に加え、ワゴンを畳み込んだ際に、棚プレートがメインフレームと平行になるので、よりコンパクトになる。
【００１５】
また、上記した請求項５の本考案に係るワゴンによれば、上記した効果に加え、ワゴンを畳み込んだ際に、キャスターがぶつかることなく、よりコンパクトに畳み込むことができる。
【図面の簡単な説明】
【００１６】
【図１】本考案に係るワゴンの一実施形態を概念的に示した斜視図である。
【図２】図１に示したワゴンの側面図である。
【図３】図１に示したワゴンを畳み込んだ状態を示した側面図である。
【考案を実施するための形態】
【００１７】
以下、本考案に係るワゴンを、図面に示した一実施形態に基づいて、詳細に説明する。
【００１８】
図１に示したワゴン１では、メインフレーム２が角パイプによって矩形状に形成されている。このメインフレーム２は、左右の側柱２ａ，２ａと、両側柱の上端に差し渡された把手２ｂと、左右の側柱の下端に差し渡された底部材２ｃで構成されている。そして、このメインフレーム２は、使用状態で、底部材２ｃを前方にして傾斜して配置される。
【００１９】
メインフレーム２における両側柱２ａ，２ａの上端部背面には、それぞれ孔３が形成されている。この孔３には、角パイプによって形成された後部支持フレーム４の上端がそれぞれ挿入され、その端部は軸５によってメインフレーム２に回動自在に支持されている。この後部支持フレーム４は、上部が湾曲され、下部が鉛直方向下方に延びている。
そして、両後部支持フレーム４，４には、それらの上部および下部に差し渡して連結され、それらの間隔を確保するステー４ａ，４ｂが配設されている。
【００２０】
また、メインフレーム２の両側柱２ａ，２ａ間には、上下３か所に矩形状のプレート支持フレーム６が差し渡すようにして配置され、それらは軸７によって両側柱２ａ，２ａに回動可能に支持されている。そして、それらのプレート支持フレーム６には、棚プレート８が嵌着されている。
【００２１】
プレート支持フレーム６の後部中間部には、後方に向けて２つのブラケット６ａ，６ａがそれぞれ突設されている。そして、各ブラケット６ａは、上下のプレート支持フレーム６に渡って上下方向に差し渡して配置され、側面にブラケット９ａを有するリンク竿９の前記ブラケット９ａにピン１０を介して連結されている。そして、メインフレーム２と、上下段のプレート支持フレーム６と、リンク竿９とによって、平行リンクが構成されている。
【００２２】
棚プレート８は、図に示すように、ワゴン１の使用状態で、水平に維持されなければならない。そこで、例えば、リンク竿９と棚プレート８との最大開度が所定の角度に規制されるように、ガイド部材１１が設けられている。このガイド部材１１は、両後部支持フレーム４，４間に差し渡された上記ステー４ａに取り付けられ、リンク竿９が挿入される穴１１ａが形成された受け部１１ｂを有し、該受け部１１ｂによって棚プレート８が装着されるプレート支持フレーム６を所定の角度で支えることによってその移動が規制され、メインフレーム２と後部支持フレーム４との開き角度を所定の角度に維持するとともに、棚プレート８を水平に維持する。
【００２３】
メインフレーム２の底部材２ｃの中間部２か所と、それぞれの後部支持フレーム３の下端には、キャスター１２ａ，１２ｂが設置されている。そして、前記前部側キャスター１２ａと後部側キャスター１２ｂとは、ワゴン１を畳み込んだ際に、互いに干渉しないように、正面視において互いにオフセットさせて配置されている。
【００２４】
上記実施形態のワゴン１は、図２に示した状態、即ち、メインフレーム２が傾斜した状態で各キャスター１２ａ，１２ｂが接地し、ガイド部材１１の受け部１１ｂがプレート支持フレーム６当接し、メインフレーム２と後部支持フレーム４との開き角度が所定の角度に維持されるとともに、各棚プレート８が水平状態に維持される。
なお、必要ならば、棚プレート８にトレー等を載置した際に、棚プレート８の前端が下方に傾斜しないように、適宜なロック手段を備える。
【００２５】
そして、棚プレート８上に料理を盛ったトレー等を載せ、把手２ｂをもってワゴン１をテーブルまで移動させ、そこで、棚プレート８からトレー等を取り出す。
【００２６】
このワゴン１を収納するには、図３に示すように、メインフレーム２を後部支持フレーム４に重なるように軸５を中心に時計方向に回動させ、棚プレート８をピン７を中心にして反時計方向に回動させて畳み込み、コンパクトな外形とし、保管スペースに収納する。む。
【００２７】
なお、上記ワゴンは、一実施形態を示したもので、実用新案登録請求の範囲に記載した本考案に係るワゴンの範囲内で、材質，形状，構造，付加的な機能を適宜変更することができる。
【００２８】
例えば、材質としては金属，樹脂，木材等が挙げられる。また、形状としてはメインフレーム２の上部を後方に湾曲させて、把手２ｂを後方に位置させてワゴン１の移動性を高めたり、構造として、棚プレート８の数を増減させたり、リンク竿９をプレート支持フレーム６の側面に配設したりしてもよい。
また、付加的な機能として、メインフレーム２にリンク竿９（棚プレート８）を連動させて、ワゴン１を畳み込む際に棚プレート８を回動させるようにしてもよい。
【符号の説明】
【００２９】
１  ワゴン
２  メインフレーム
２ａ  側柱
２ｂ  把手
２ｃ  底部材
３  孔
４  後部支持フレーム
４ａ，４ｂ  ステー
５  軸
６  プレート支持フレーム
６ａ  ブラケット
７  軸
８  棚プレート
９  リンク竿
９ａ  ブラケット
１０  ピン
１１  ガイド部材
１１ａ  穴
１１ｂ  受け部
１２ａ，１２ｂ  キャスター
【図１】
0003186800.tif 000003
【図２】
0003186800.tif 000004
【図３】
0003186800.tif 000005